(57)【特許請求の範囲】
【請求項１】
放送される番組の識別を示す番組情報、前記番組の放送コンテンツ、および前記放送コンテンツを一意に識別可能なコンテンツ識別情報との関連を管理するコンテンツ識別管理サーバを有し、放送回線によるデジタル放送を行う放送局と、
前記放送コンテンツを記憶し、提供するコンテンツサーバと、
前記放送局から放送回線によるデジタル放送を受信する放送受信手段と、前記放送受信手段が受信するデジタル放送の番組情報を取得する取得手段と、前記コンテンツ識別管理サーバおよび前記コンテンツサーバと通信回線を介して通信を行う通信送受信手段と、前記取得手段が取得した番組情報を用いて、前記通信送受信手段を介して前記コンテンツ識別管理サーバからコンテンツ識別情報を取得する制御手段とを有する通信端末とを備え、  前記通信端末は、受信した番組情報に基いて再放送番組Ａ´の予約を行い、前記番組情報に対応するＵＲＬ情報のコンテンツ識別管理サーバに該番組情報のうちコンテンツの識別に必要となるサービス識別、イベント識別、番組開始時間を出力し、
前記コンテンツ識別管理サーバは、入力された上記のサービス識別、イベント識別、番組開始時間とリンクするコンテンツを検索し、検索結果であるコンテンツＡ´のコンテンツ識別を前記通信端末に出力し、
前記通信端末の制御手段は、入力されたコンテンツＡ´のコンテンツ識別を参照し該コンテンツＡ´が既に蓄積部に蓄積されているコンテンツであるか否か判定を行うことを特徴とするデジタル放送システム。
【請求項２】
番組情報はコンテンツ識別管理サーバのアドレス情報を保有し、
取得手段は、前記番組情報から前記アドレス情報を抽出し、
制御手段は、前記取得手段が抽出した前記アドレス情報を用いて前記コンテンツ識別管理サーバに通信接続することを特徴とする請求項１記載のデジタル放送システム。
【請求項３】
コンテンツ識別管理サーバのアドレス情報は、番組情報のＢＩＴ（Ｂｒｏａｄｃａｓｔｅｒ  Ｉｎｆｏｒｍａｔｉｏｎ  Ｔａｂｌｅ）に記載されていることを特徴とする請求項２記載のデジタル放送システム。
【発明の詳細な説明】
【技術分野】
【０００１】
この発明は、デジタル放送システムに関し、特に通信端末が放送局やコンテンツプロバイダから提供されるコンテンツを識別する技術に関するものである。
【背景技術】
【０００２】
従来のデジタル放送を受信するシステムとして、例えば特許文献１に記載されたものがある。このデジタル放送を受信するシステムの一例を図４に示す。このシステムは大別して通信端末１０と、放送回線によりデジタル放送を行う放送局２０と、通信回線で接続されたコンピュータネットワークを介して情報通信を行うコンテンツサーバ３１で構成されている。コンテンツサーバ３１は、通常では携帯電話回線などの通信回線を介して接続したインターネットを経由して、放送局２０で放送する番組と同一コンテンツを提供する機能を備えている。
【０００３】
通信端末１０の制御部１０３は、放送受信管理部１１０により放送受信が中断される状況であると判定されると、放送局２０からの放送受信モードを、通信回線による放送受信モードに切換える受信切換え処理を実行する。通信送受信部１０４は、制御部１０３からの通知に応じて、通信回線を介してコンテンツサーバ３１に接続して、放送受信時と同一のコンテンツを受信する。
【０００４】
この際、コンテンツサーバ３１は、通信端末１０から受信した番組情報により、選局されているチャンネル番号、視聴時間帯、及び視聴番組のＧコードなどを認識することで通信端末１０において視聴されている番組を特定する。そして、コンテンツサーバ３１は、コンテンツを保存している記憶部から当該番組対応するコンテンツを検索し、通信回線を介して通信端末１０に送信する。
【０００５】
【特許文献１】特開２００４−４０３８０号公報
【発明の開示】
【発明が解決しようとする課題】
【０００６】
従来のデジタル放送システムは以上のように構成されているので、通信端末１０において視聴されている番組を特定する際にコンテンツ内の番組情報のみを利用するため、現行のＡＲＩＢ（Ａｓｓｏｃｉａｔｉｏｎ ｏｆ Ｒａｄｉｏ Ｉｎｄｕｓｔｒｉｅｓ ａｎｄ Ｂｕｓｉｎｅｓｓｅｓ）規格上のＥＩＴ（Ｅｖｅｎｔ  Ｉｎｆｏｒｍａｔｉｏｎ  Ｔａｂｌｅ）では、例えば、同じ番組の再放送などの場合、本放送と再放送とで同一のコンテンツであるにもかかわらず、同一のコンテンツと判別することができず、コンテンツサーバ側はコンテンツを識別する番組情報であるＥＩＴを本放送分と再放送分を二重に管理する、あるいは現在放送中のコンテンツのみしか扱うことができないという課題があった。
【０００７】
この発明は、上記のような課題を解決するためになされたもので、ＥＩＴ情報を変更することなく、コンテンツを一意に判別することができるデジタル放送システムを提供することを目的とする。また、デジタル放送で配信されたコンテンツを複数のコンテンツプロバイダが提供する場合にもコンテンツを識別するための番組情報を複数扱う必要のないデジタル放送システムを提供することを目的とする。
【課題を解決するための手段】
【０００８】
この発明に係るデジタル放送システムは、放送される番組の識別を示す番組情報、番組の放送コンテンツ、および放送コンテンツを一意に識別可能なコンテンツ識別情報との関連を管理するコンテンツ識別管理サーバを有し、放送回線によるデジタル放送を行う放送局と、放送コンテンツを記憶し、提供するコンテンツサーバと、放送局から放送回線によるデジタル放送を受信する放送受信手段と、放送受信手段が受信するデジタル放送の番組情報を取得する取得手段と、コンテンツ識別管理サーバおよびコンテンツサーバと通信回線を介して通信を行う通信送受信手段と、取得手段が取得した番組情報を用いて、通信送受信手段を介してコンテンツ識別管理サーバからコンテンツ識別情報を取得する制御手段とを有する通信端末とを備え、  通信端末は、受信した番組情報に基いて再放送番組Ａ´の予約を行い、番組情報に対応するＵＲＬ情報のコンテンツ識別管理サーバに該番組情報のうちコンテンツの識別に必要となるサービス識別、イベント識別、番組開始時間を出力し、コンテンツ識別管理サーバは、入力された上記のサービス識別、イベント識別、番組開始時間とリンクするコンテンツを検索し、検索結果であるコンテンツＡ´のコンテンツ識別を通信端末に出力し、通信端末の制御手段は、入力されたコンテンツＡ´のコンテンツ識別を参照し該コンテンツＡ´が既に蓄積部に蓄積されているコンテンツであるか否か判定を行うことを特徴とする。
【発明の効果】
【０００９】
この発明によれば、放送される番組の識別を示す番組情報、番組の放送コンテンツ、および放送コンテンツを一意に識別可能なコンテンツ識別情報との関連を管理するコンテンツ識別管理サーバを有し、放送回線によるデジタル放送を行う放送局と、放送コンテンツを記憶し、提供するコンテンツサーバと、放送局から放送回線によるデジタル放送を受信する放送受信手段と、放送受信手段が受信するデジタル放送の番組情報を取得する取得手段と、コンテンツ識別管理サーバおよびコンテンツサーバと通信回線を介して通信を行う通信送受信手段と、取得手段が取得した番組情報を用いて、通信送受信手段を介してコンテンツ識別管理サーバからコンテンツ識別情報を取得する制御手段とを有する通信端末とを備えるように構成したので、現行のＡＲＩＢ規格のＥＩＴの情報を変更することなく、また同一コンテンツに対して複数の番組情報を管理することなくコンテンツサーバ内のコンテンツを一意に判別することができる。また、現在放送中以外のコンテンツも取り扱い可能となる。
【発明を実施するための最良の形態】
【００１０】
実施の形態１．
図１は、実施の形態１に係るデジタル放送システムの構成を示すブロック図である。このデジタル放送システムは、通常の通信回線を用いた通信機能以外に、放送回線によるデジタル放送の受信機能を有する通信端末１０、地上波デジタル放送などのデジタル放送により映像、音声、データなどのデジタル情報を放送回線により伝送する放送システムを有する放送局２０、および放送局２０から提供されるコンテンツを、通信回線を介して接続したインターネットを経由して通信端末１０へ提供する複数のコンテンツプロバイダ３０で構成される。
【００１１】
通信端末１０は、放送受信アンテナ１００、放送受信部（放送受信手段）１０１、視聴番組取得部（取得手段）１０２、制御部（制御手段）１０３、通信送受信部（通信送受信手段）１０４、復号部１０５、スピーカ１０６、ディスプレイ１０７、受信情報記憶部１０８および蓄積部１０９で構成されている。放送受信アンテナ１００は、放送局２０からのデジタル放送信号を受信する。放送受信部１０１は、放送受信アンテナ１００で受信したデジタル放送信号を復調し、復調後の放送信号からユーザが選択した番組に関するパケット信号を抽出する。
【００１２】
視聴番組取得部１０２は、放送番組受信部１０１で受信した放送信号からユーザが現在視聴している番組の識別情報である番組情報を抽出し、この番組情報を制御部１０３に出力する。ここで番組情報は、番組名（ｅｖｅｎｔ＿ｎａｍｅ）、視聴しているチャンネルのネットワーク識別（ｎｅｔｗｏｒｋ＿ｉｄ）、トランスポートストリーム識別（ｔｒａｎｓｐｏｒｔ＿ｓｔｒｅａｍ＿ｉｄ）、オリジナルネットワーク識別（ｏｒｉｇｉｎａｌ＿ｎｅｔｗｏｒｋ＿ｉｄ）、サービス識別（ｓｅｒｖｉｃｅ＿ｉｄ）、イベント識別（ｅｖｅｎｔ＿ｉｄ）、番組開始時間（ｓｔａｒｔ＿ｔｉｍｅ）、番組長（ｄｕｒａｔｉｏｎ）などの情報で構成されている。
【００１３】
イベント識別は、具体的には個々の番組のＩＤである。ネットワーク識別、トランスポートストリーム識別、サービス識別、イベント識別、番組開始時間、番組長はＥＩＴ（Ｅｖｅｎｔ  Ｉｎｆｏｒｍａｔｉｏｎ  Ｔａｂｌｅ）から抽出することができる。また、番組情報には、コンテンツ識別管理サーバ２１のＵＲＬ情報なども含まれる。本実施例では、コンテンツ識別管理サーバ２１のＵＲＬ情報はＢＩＴ（Ｂｒｏａｄｃａｓｔｅｒ  Ｉｎｆｏｒｍａｔｉｏｎ  Ｔａｂｌｅ）に記載されているものとする。
【００１４】
制御部１０３は、視聴番組取得部１０２が抽出した番組情報に対応するコンテンツ識別の取得指示を通信送受信部１０４に出力する。通信送受信部１０４は、インターネットなどを代表とするコンピュータネットワーク通信回線と接続して、放送局２０およびコンテンツプロバイダ３０とコンテンツなどの情報の送受信を行う。
【００１５】
復号部１０５は、制御部１０３を介して入力される、放送受信部１０１で抽出されたパケット信号を音声信号や映像信号に復号し、復号した音声信号をスピーカ１０６に出力し、映像信号をディスプレイ１０７に出力する。受信情報記憶部１０８は、視聴番組取得部１０２が取得したユーザが現在視聴している番組の番組情報や、放送局２０のコンテンツ識別管理サーバ２１のＵＲＬ情報などを記憶する。蓄積部１０９は、コンテンツプロバイダ３０から購入したコンテンツ、およびこのコンテンツに対応したコンテンツ識別を記憶する。
【００１６】
放送局２０は、コンテンツプロバイダ３０に対してコンテンツを提供する。放送局２０内のコンテンツ識別管理サーバ２１は、自局が放送したコンテンツと番組情報、およびコンテンツプロバイダ３０に提供したコンテンツとコンテンツ識別とのリンク情報を保持する。また、コンテンツ識別管理サーバ２１は、通信端末１０から入力されるコンテンツ識別取得要求を受け付け、当該コンテンツ識別取得要求の番組情報に該当するコンテンツのコンテンツ識別を通信端末１０に出力する。コンテンツ識別管理サーバ２１のコンテンツ識別処理は、各放送局において実施してもよいし、全放送局分の放送内容を一括して実施するように構成してもよい。
【００１７】
コンテンツプロバイダ３０は、通信端末１０で視聴されている番組を特定するコンテンツサーバ３１を備えている。コンテンツサーバ３１は、通信端末１０から受信した番組情報に基づき選局されているチャンネル番号、視聴時間帯、および視聴番組のＧコードなどを認識することにより、通信端末１０で視聴されている番組を特定する。また、コンテンツサーバ３１は、放送番組を保存している記憶部（図示せず）から当該番組に対応する放送情報を検索し、通信回線を介して通信端末１０に出力する。なお、コンテンツプロバイダ３０は、放送局２０から放送情報の提供を受けるが、この放送情報の提供の際にコンテンツ識別も合わせて受け取る。
【００１８】
次に、ＥＩＴを用いた番組情報の識別について説明を行う。デジタル放送は、ＴＳ（Ｔｒａｎｓｐｏｒｔ Ｓｔｒｅａｍ）パケットと呼ばれる固定長パケットにより、映像および音声の信号やデータを多重して送信する。番組情報は、ＴＳパケット中の番組配列情報（Ｓｅｒｖｉｃｅ  Ｉｎｆｏｒｍａｔｉｏｎ：以下、ＳＩと称する）に記載されている。ＳＩは、この番組情報のほかに放送局名などの情報を管理している。
【００１９】
ＴＳパケット中には、ＳＩの他に番組特定情報（Ｐｒｏｇｒａｍ  Ｓｐｅｃｉｆｉｃ  Ｉｎｆｏｒｍａｔｉｏｎ：以下、ＰＳＩと称する）が存在し、このＰＳＩは映像および音声信号の選択、および編成チャンネルなどのサービスの選局に用いられる。ＰＳＩは、ＰＡＴ（Ｐｒｏｇｒａｍ  Ａｓｓｏｃｉａｔｉｏｎ  Ｔａｂｌｅ）、ＣＡＴ（Ｃｏｎｄｉｔｉｏｎａｌ  Ａｃｃｅｓｓ  Ｔａｂｌｅ）、ＰＭＴ（Ｐｒｏｇｒａｍ  Ｍａｐ  Ｔａｂｌｅ）、およびＮＩＴ（Ｎｅｔｗｏｒｋ  Ｉｎｆｏｒｍａｔｉｏｎ  Ｔａｂｌｅ）の４つのテーブルで構成され、ＳＩには主にＢＩＴ(Ｂｒｏａｄｃａｓｔｅｒ  Ｉｎｆｏｒｍａｔｉｏｎ  Ｔａｂｌｅ)、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）などのテーブルで構成されている。
【００２０】
番組情報である番組名、イベント識別、番組開始時間、番組長などはＥＩＴに記載されている。このうちイベント識別は、放送終了後からある一定時間経過するまでは再使用が禁止されている。さらにイベント識別はサービス内ユニークであり、地上デジタル放送ではサービスが国内ユニークであるため、ある一定の時間範囲では番組の識別にはサービスＩＤ、イベント識別および番組開始時間が必要となる。また、ＥＩＴではイベント識別は基本的に当日から８日分先までの番組情報を送出しており、番組予約などに用いることができる。
【００２１】
図２に、実施の形態１に係るデジタル放送システムのＥＩＴおよびＢＩＴの具体例を示す。図２（ａ）および（ｃ）はＥＩＴを示し、図２（ｂ）は図２（ａ）に対応するＢＩＴ、図２（ｄ）は図２（ｃ）に対応するＢＩＴを示している。ＥＩＴは、上から順にネットワーク識別、ＴＳ識別、オリジナルネットワーク識別、サービス識別、イベント識別、番組開始時間、番組長、番組名が記載されている。
【００２２】
図２（ａ）のＥＩＴ２００は２００８年３月２６日における当日分の番組Ａ（ＮＮＮ特集）のＥＩＴを示し、図２（ｂ）のＥＩＴ２０１は２００８年３月２８日における２００８年３月３０日の番組Ａ（ＮＮＮ特集）の再放送番組Ａ´のＥＩＴを示している。図２（ａ）と（ｃ）では、イベント識別と番組開始時間が異なっている。一方、ＢＩＴ３００では、上記番組Ａおよび再放送番組Ａ´の放送期間中は同一の内容が放送されているため、同一のＵＲＬ情報が記載されている。
【００２３】
次に、この実施の形態１に係るデジタル放送システムの動作について説明を行う。図３は、実施の形態１に係るデジタル放送システムの動作を示すフローチャートである。なお、放送局の放送番組などは図２で示した具体例を用いて説明を行う。放送局２０は、通信端末１０に番組Ａ「ＮＮＮ特集」を放送すると共に、この番組Ａの番組情報Ａを出力する（ステップＳＴ１）。ステップＳＴ１において出力される番組情報Ａは図２（ａ）のＥＩＴ２００であり、ネットワーク識別：０ｘ７ＦＦＦ、ＴＳ識別：０ｘ７ＦＦＦ、サービス識別：０ｘ０５００、イベント識別：０ｘ０００１、番組開始時間：２００８／０３／２６、番組長：１：００：００、番組名：ＮＮＮ特集の各情報が記載されている。
【００２４】
放送局２０は、番組Ａの放送を終了すると、コンテンツプロバイダ３０に番組ＡのコンテンツＡとコンテンツ識別（以下、識別としてＣＲＩＤ（Ｃｏｎｔｅｎｔ  Ｒｅｆｅｒｅｎｃｅ  ＩＤｅｎｔｅｉｆｅｒ）：Ａを付記する）を提供する（ステップＳＴ２）。コンテンツプロバイダ３０のコンテンツサーバ３１は、ステップＳＴ２において入力された番組ＡのコンテンツＡとコンテンツ識別ＣＲＩＤ：Ａを記憶する（ステップＳＴ３）。ユーザは、通信端末１０を用いてコンテンツプロバイダ３０からコンテンツＡを購入し、当該コンテンツＡのコンテンツ識別ＣＲＩＤ：Ａと合わせて蓄積部１０９に蓄積する（ステップＳＴ４）。
【００２５】
続いて放送局２０は、番組Ａの放送から２日後の２００８年３月２８日に、番組Ａの再放送として再放送番組Ａ´（ＮＮＮ特集）の放送を２００８年３月３０日に予定し、この予定に合わせて番組情報を通信端末１０に出力する（ステップＳＴ５）。ステップＳＴ５において出力される番組情報は図２（ｃ）のＥＩＴ２０１であり、放送内容を示す情報であるネットワーク識別、ＴＳ識別、オリジナルネットワーク識別、サービス識別、番組長、番組名はＥＩＴ２００における情報と同一内容であるが、番組内容を示す情報であるイベント識別：０ｘ０１００、番組開始時間：２００８／０３／３０はＥＩＴ２００と異なる情報が記載されている。しかし、これらＥＩＴの情報からＥＩＴ２００とＥＩＴ２０１が同一内容のコンテンツであるかは判定できないため、以下の処理に進む。
【００２６】
ステップＳＴ５において出力される番組情報（ＥＩＴ２０１）を受信した通信端末１０は、この番組情報に基づき再放送番組Ａ´の予約を行う（ステップＳＴ６）。さらに、番組情報（ＥＩＴ２０１）に対応するＢＩＴ３００（図２（ｄ））に記載されているＵＲＬ情報のコンテンツ識別管理サーバ２１に番組情報（ＥＩＴ２０１）のうちコンテンツの識別に必要となるサービス識別、イベント識別、番組開始時間を出力する（ステップＳＴ７）。コンテンツ識別管理サーバ２１は、ステップＳＴ７において入力されたサービス識別、イベント識別、番組開始時間とリンクするコンテンツを検索し、検索結果であるコンテンツＡ´のコンテンツ識別を通信端末１０に出力する（ステップＳＴ８）。
【００２７】
ステップＳＴ８においてコンテンツＡ´のコンテンツ識別が入力された通信端末１０の制御部１０３は、コンテンツＡ´のコンテンツ識別を参照し、コンテンツＡ´が既に蓄積部１０９に蓄積されているコンテンツであるか否か判定を行う（ステップＳＴ９）。この実施の形態の例では、コンテンツＡ´はコンテンツＡの再放送であり同一のコンテンツであることから、上述のステップＳＴ８においてコンテンツＡ´のコンテンツ識別はＣＲＩＤ：Ａとして通信端末１０に入力されている。そのため、制御部１０３は、コンテンツＡ´およびコンテンツＡのコンテンツ識別が同一であり、コンテンツＡ´は既に蓄積部１０９に蓄積されているコンテンツであると判定し、番組予約を取り消す（ステップＳＴ１０）。
【００２８】
一方、ステップＳＴ８において入力されたコンテンツＡ´コンテンツ識別を参照し、コンテンツＡ´が既に蓄積部１０９に蓄積されているコンテンツでないと判定された場合には番組予約を継続し（ステップＳＴ１１）、処理を終了する。
【００２９】
以上のように、この実施の形態１によれば、コンテンツ識別管理サーバ２１が通信端末１０から入力された番組情報とリンクするコンテンツを検索し、そのコンテンツのコンテンツ識別を通信端末１０に出力し、通信端末１０が当該コンテンツ識別を参照して同一のコンテンツを蓄積しているか否か判定するように構成したので、現行のＡＲＩＢ規格のＥＩＴの情報を変更することなくコンテンツサーバのコンテンツを一意に判別することができる。さらに、コンテンツサーバにおいて同一のコンテンツについて複数の番組情報を管理することなくコンテンツサーバのコンテンツを一意に判別することができる。
【図面の簡単な説明】
【００３０】
【図１】実施の形態１に係るデジタル放送システムの構成を示すブロック図である。
【図２】実施の形態１に係るデジタル放送システムの番組情報を示す図である。
【図３】実施の形態１に係るデジタル放送システムの動作を示すフローチャートである。
【図４】従来のデジタル放送システムの構成を示すブロック図である。
【符号の説明】
【００３１】
１０  通信端末、２０  放送局、２１  コンテンツ識別管理サーバ、３０  コンテンツプロバイダ、３１  コンテンツサーバ、４０  ネットワーク、１００  放送受信アンテナ、１０１  放送受信部、１０２  視聴番組取得部、１０３  制御部、１０４  通信送受信部、１０５  復号部、１０６  スピーカ、１０７  ディスプレイ、１０８  受信情報記憶部、１０９  蓄積部、１１０  放送受信管理部、１１１  受信履歴記憶部、１１２  無線通信用アンテナ。
【図１】
0005219640.tif 000002
【図２】
0005219640.tif 000003
【図３】
0005219640.tif 000004
【図４】
0005219640.tif 000005